(57)【特許請求の範囲】
【請求項１】
遊技に関する制御を行う制御回路を搭載した回路基板と、
前記回路基板に実装された電子部品を冷却するための冷却装置と、
前記回路基板を収容する収容ケースと、
前記収容ケースが取り付けられる筐体と、
を備えた遊技台であって、
前記回路基板として複数の回路基板を有し、前記収容ケースが複数の収容体に分離可能に構成され、
前記複数の回路基板のうちの所定の回路基板が前記複数の収容体のうちの所定の収容体に配置固定され、
他の回路基板が他の収容体に配置固定され、
前記所定の収容体が前記他の収容体と分離されたとき、前記所定の収容体に配置固定された回路基板と、前記他の収容体に配置固定された回路基板とが、それぞれの収容体に配置固定されたままで分離される一方、
前記所定の回路基板は、電子部品が他面よりも多く実装された実装面側を前記所定の収容体に対向させて配置固定され、
前記他の回路基板は、電子部品が他面よりも多く実装された実装面の裏面側を前記他の収容体に対向させて配置固定され、
前記複数の収容体の各々の開口部どうしを対向させ組み合わせて閉じて前記収容ケースを構成し、
前記複数の収容体の各々を組み合わせて閉じた前記収容ケースに前記複数の回路基板を収容したとき、前記所定の回路基板が前記他の回路基板の少なくとも一部と重なるように配置し、
前記複数の収容体の各々を組み合わせて閉じた状態でかしめるかしめ部を備え、
前記複数の回路基板の各々は、前記回路基板の動作状態を報知する報知部を有し、
前記複数の収容体の各々を組み合わせて閉じた前記収容ケースに前記複数の回路基板を収容したとき、前記複数の回路基板の各々の前記報知部を視認可能な位置に設け、
前記他の回路基板に、発熱する電子部品を、前記所定の回路基板と重ならない端部側に配置し、
前記収容ケースにおける前記端部側の側壁部には通気孔が設けられるとともに、
前記通気孔が上方に向くように、前記収容ケースを前記筐体に取り付け、
前記冷却装置は、前記所定の回路基板の前記実装面に対向して配置され、
前記収容ケースは、前記冷却装置による前記回路基板と前記収容ケースとの間の層状空間の空気を流動させるための冷却向上部を備えて形成されるとともに、少なくとも前記冷却装置から前記発熱する電子部品までの前記層状空間には通気孔を設けずに形成され、
前記冷却向上部は、前記層状空間の空気の流動方向の上流側よりも下流側が前記回路基板側へ近づくように形成された部分を、前記端部側の前記層状空間が狭くなるように備え、
前記収容ケースは、前記流動方向に沿った前記発熱する電子部品の下流側に前記通気孔を設けて形成されている、
ことを特徴とする遊技台。
【発明の詳細な説明】
【技術分野】
【０００１】
本発明は、スロットマシン（パチスロ機）に代表される遊技台に関する。
【背景技術】
【０００２】
特許文献１には、副基板ボックス１３０を構成するベース体１３１に、音声制御基板１４０とランプ制御基板１５０とをそれぞれネジによって締め付け固定して、複数の基板（音声制御基板１４０とランプ制御基板数１５０）を１つの基板ボックス（副基板ボックス１３０）に収納する遊技機が開示されている。すなわち、特許文献１で、１つの基板収容ケースに２つの回路基板を収容する構成を開示している。
【先行技術文献】
【特許文献】
【０００３】
【特許文献１】特開２００２−２８２５００号公報
【発明の概要】
【発明が解決しようとする課題】
【０００４】
従来、遊技台においては、回路基板の故障、バージョンアップ、機種変更などの要因で回路基板を交換する必要が生じる場合があった。このような場合、特許文献１に記載の遊技機では、基板ケース下部に２枚の回路基板を配置固定しているため、２枚のうち１枚だけ交換する回路基板の部分交換の際に、部分交換する回路基板やそのまま残す回路基板への接触により、回路基板破損や故障発生が懸念される。これを避けるためには、２枚のうち故障していない方の回路基板までも同時に交換することになってしまう。
【０００５】
本発明の目的は、回路基板に直接触れずに１枚単位で回路基板の交換を行うことができる遊技台を提供することにある。
【課題を解決するための手段】
【０００６】
本発明は上記の目的を達成するために、遊技に関する制御を行う制御回路を搭載した回路基板と、前記回路基板に実装された電子部品を冷却するための冷却装置と、前記回路基板を収容する収容ケースと、前記収容ケースが取り付けられる筐体と、を備えた遊技台であって、前記回路基板として複数の回路基板を有し、前記収容ケースが複数の収容体に分離可能に構成され、前記複数の回路基板のうちの所定の回路基板が前記複数の収容体のうちの所定の収容体に配置固定され、他の回路基板が他の収容体に配置固定され、前記所定の収容体が前記他の収容体と分離されたとき、前記所定の収容体に配置固定された回路基板と、前記他の収容体に配置固定された回路基板とが、それぞれの収容体に配置固定されたままで分離される一方、前記所定の回路基板は、電子部品が他面よりも多く実装された実装面側を前記所定の収容体に対向させて配置固定され、前記他の回路基板は、電子部品が他面よりも多く実装された実装面の裏面側を前記他の収容体に対向させて配置固定され、前記複数の収容体の各々の開口部どうしを対向させ組み合わせて閉じて前記収容ケースを構成し、前記複数の収容体の各々を組み合わせて閉じた前記収容ケースに前記複数の回路基板を収容したとき、前記所定の回路基板が前記他の回路基板の少なくとも一部と重なるように配置し、前記複数の収容体の各々を組み合わせて閉じた状態でかしめるかしめ部を備え、前記複数の回路基板の各々は、前記回路基板の動作状態を報知する報知部を有し、前記複数の収容体の各々を組み合わせて閉じた前記収容ケースに前記複数の回路基板を収容したとき、前記複数の回路基板の各々の前記報知部を視認可能な位置に設け、前記他の回路基板に、発熱する電子部品を、前記所定の回路基板と重ならない端部側に配置し、前記収容ケースにおける前記端部側の側壁部には通気孔が設けられるとともに、前記通気孔が上方に向くように、前記収容ケースを前記筐体に取り付け、前記冷却装置は、前記所定の回路基板の前記実装面に対向して配置され、前記収容ケースは、前記冷却装置による前記回路基板と前記収容ケースとの間の層状空間の空気を流動させるための冷却向上部を備えて形成されるとともに、少なくとも前記冷却装置から前記発熱する電子部品までの前記層状空間には通気孔を設けずに形成され、前記冷却向上部は、前記層状空間の空気の流動方向の上流側よりも下流側が前記回路基板側へ近づくように形成された部分を、前記端部側の前記層状空間が狭くなるように備え、前記収容ケースは、前記流動方向に沿った前記発熱する電子部品の下流側に前記通気孔を設けて形成されている、ことを特徴とする。
【発明の効果】
【０００７】
本発明によれば、回路基板に直接触れずに１枚単位で回路基板の交換を行うことができる遊技台を提供することができる。
【図面の簡単な説明】
【０００８】
【図１】スロットマシン１００の外観斜視図を示したものである。
【図２】前面扉１０２を開けた状態のスロットマシン１００を示す正面図である。
【図３】基板収容体２２０ａに副制御基板２２２を取り付ける様子を示す斜視図である。
【図４】基板収容体２２０ｂに副制御基板２２１を取り付ける様子を示す斜視図である。
【図５】副制御基板２２２が固定された基板収容体２２０ａと、副制御基板２２１が固定された基板収容体２２０ｂとを閉じる様子を示す斜視図であり、（ａ）はヒンジ受け部２２５にヒンジ軸部２５０を挿入する前の状態を示す図であり、（ｂ）はヒンジ受け部２２５にヒンジ軸部２５０を挿入した後の状態を示す図である。
【図６】副制御基板２２２が固定された基板収容体２２０ａと、副制御基板２２１が固定された基板収容体２２０ｂとを閉じる様子を示す斜視図であり、（ａ）は図５（ｂ）を裏側から見た図であり、（ｂ）は（ａ）の基板収容体２２０ａと基板収容体２２０ｂとを閉じた状態を示す図であり、（ｃ）は（ｂ）の丸で囲った部分Ａを拡大して示す図である。
【図７】基板収容体２２０ａと基板収容体２２０ｂとを閉じた状態の斜視図であって図６（ｂ）を裏側から見た図であり、（ａ）はかしめ部材を挿入する前の状態を示す図であり、（ｂ）はかしめ部材を挿入してかしめた状態を示す図である。
【図８】図７に丸で囲った部分Ｂを拡大して示す図であって、（ａ）は図７（ａ）の部分Ｂを拡大して示す斜視図であり、（ｂ）は（ａ）を上から見た平面図であり、（ｃ）は（ａ）をかしめ部２２８の側から見た側面図であり、（ｄ）は図７（ｂ）の部分Ｂを拡大して示す斜視図であり、（ｅ）は（ｄ）を上から見た平面図であり、（ｆ）は（ｄ）をかしめ部２２８の側から見た側面図である。
【図９】かしめ部材２６３によるかしめについて説明する図であり、（ａ）は隣接したかしめ部２２８およびかしめ部２５４にかしめ部材２６３を挿入した状態の平面図であり、（ｂ）はかしめ部２２８およびかしめ部２５４における上から２個目の挿入部にかしめ部材２６３を挿入した状態を示す斜視図である。
【図１０】副制御基板２２２を保持固定した基板収容体２２０ａを交換する様子を説明する斜視図であり、（ａ）は新たな副制御基板２２２を保持固定した基板収容体２２０ａと、基板収容体２２０ｂのダミーであるダミー収容体とからなる交換用収容ケースを示す斜視図であり、（ｂ）は基板収容体２２０ａの交換の様子を示す斜視図である。
【図１１】制御部の回路ブロック図を示したものである。
【図１２】（ａ）は図４に示した報知部２５９の構成例を示す図であり、（ｂ）は図３に示した報知部２４６の構成例を示す図である。
【図１３】主制御部メイン処理の流れを示すフローチャートである。
【図１４】（ａ）は、第１副制御部４００のＣＰＵ４０４が実行するメイン処理のフローチャートであり、（ｂ）は、第１副制御部４００のコマンド受信割込処理のフローチャートであり、（ｃ）は、第１副制御部４００のタイマ割込処理のフローチャートである。
【図１５】（ａ）は、第２副制御部５００のＣＰＵ５０４が実行するメイン処理のフローチャートであり、（ｂ）は、第２副制御部５００のコマンド受信割込処理のフローチャートであり、（ｃ）は、第２副制御部５００のタイマ割込処理のフローチャートであり、（ｄ）は、第２副制御部５００の画像制御処理のフローチャートである。
【図１６】複数の回路基板を収容する収容ケースの実施例２の図であり、回路基板を取り外した状態を示す斜視図である。
【図１７】収容体１２２０ａに対して収容体１２２０ｂおよび収容体１２２０ｃを閉じる様子を示す斜視図であって、（ａ）は収容体１２２０ａのヒンジ受け部１２２５ａに収容体１２２０ｂのヒンジ凸部１２５０ａを挿入し、収容体１２２０ａのヒンジ受け部１２２５ｂに収容体１２２０ｃのヒンジ凸部１２５０ｂを挿入する様子を示す図であり、（ｂ）は軸回転して収容体１２２０ａに対して収容体１２２０ｂおよび収容体１２２０ｃを閉じる様子を示す図である。
【図１８】収容体１２２０ａに対して収容体１２２０ｂおよび収容体１２２０ｃを閉じてかしめ部材１２６３でかしめる様子を示す斜視図であって、（ａ）はかしめ部材１２６３を挿入する前の様子を示す図であり、（ｂ）はかしめ部材１２６３を挿入した後の様子を示す図である。
【図１９】収容ケース１２２０に収容した回路基板１２２２を交換する場合の手順を説明する図であり、（ａ）は図１８（ｂ）の丸で囲った部分Ｃを拡大して示す斜視図であり、（ｂ）は収容体１２２０ｃの交換の様子を示す斜視図である。
【図２０】複数の回路基板を収容する収容ケースの実施例３の斜視図であり、（ａ）は収容ケースを開いた状態を示す図であり、（ｂ）はかしめ部分を拡大して示す図であり、（ｃ）は収容ケースを閉じた状態を示す図である。
【図２１】複数の回路基板を収容する収容ケースの実施例４の斜視図であり、（ａ）は収容ケースを開いた状態を示す図であり、（ｂ）は収容ケースを閉じた状態を示す図である。
【発明を実施するための形態】
【０００９】
以下、図面を用いて、本発明の実施例に係るスロットマシン（遊技台）について詳細に説明する。
【００１０】
＜全体構成＞
まず、図１を用いて、本発明に係るスロットマシン１００の全体構成について説明する。なお、同図はスロットマシン１００の外観斜視図を示したものである。
【００１１】
図１に示すスロットマシン１００は、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置（図示省略）により回転駆動される。
【００１２】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部および受光部から成る光学式センサ（図示省略）が設けられており、この光学式センサの投光部と受光部との間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１４】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１５】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１６】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１７】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。
【００１８】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１９】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２０】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２１】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。
【００２２】
ドアキー孔１４０は、スロットマシン１００の前面扉１０２のロックを解除するためのキーを挿入する孔である。
【００２３】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２４】
前面扉１０２の左右各部に設けられたサイドランプ１４４は遊技を盛り上げるための装飾用のランプである。
【００２５】
前面扉１０２の音孔１４３ａおよび１４３ｂはスロットマシン１００内部に設けられているスピーカ（図示省略）の音を外部に出力するための孔である。前面扉１０２の上部には演出装置１６０が配設されており、演出装置１６０の上部には音孔１４３ａが設けられ、メダル払出口１５５の横には音孔１４３ｂが設けられている。
【００２６】
この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置（演出画像表示装置）１５７を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２７】
図２は、前面扉１０２を開けた状態のスロットマシン１００を示す正面図である。筐体１０１は、上面板２６１、左側の側面板２６０、右側の側面板２６０、下面板２６４および背面板２４２で囲われ、前面に開口する箱体である。
【００２８】
筐体１０１の内部には、背面板２４２の上部に設けた通風口２４９と重ならない位置に、内部に主制御基板（図示省略）を収容した主制御基板収容ケース２１０が配置され、この主制御基板収容ケース２１０の下方に、３つのリール１１０乃至１１２が配置されている。
【００２９】
また、筐体１０１内で、向かって右側の側面板２６０には、主制御基板に接続されて、スロットマシン１００の情報を外部装置に出力する外部集中端子板２４８が取り付けられている。
【００３０】
そして、下面板２６４には、メダル払出装置１８０（バケットに溜まったメダルを払出す装置）が配設され、このメダル払出装置１８０の上方であってリール１１０乃至１１２の下方には、電源基板（図示省略）を有する電源装置２５２が配設され、電源装置２５２正面には電源スイッチ２４４を配設している。
【００３１】
電源装置２５２は、スロットマシン１００に外部から供給される交流電源を直流化し、所定の電圧に変換して後述の主制御部３００、後述の第１副制御部４００、後述の第２副制御部５００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）（図示省略）を備えている。
【００３２】
メダル払出装置１８０の右側には、メダル補助収納庫２４０が配設してあり、この背後にはオーバーフロー端子（図示省略）が配設されている。電源装置２５２には、電源コード２６５を接続する電源コード接続部が設けられ、ここに接続された電源コード２６５が、筐体１０１の背面板２４２に開設した電源コード用穴２６２を通して外部に延出している。
【００３３】
前面扉１０２は、筐体１０１の左側の側面板２６０にヒンジ装置２７６を介して蝶着され、図柄表示窓１１３の上部には、演出装置１６０、上部スピーカ２７２、および、この演出装置１６０や上部スピーカ２７２や低音スピーカ２７７等を制御する２枚の副制御基板２２１（図２では図示省略）および２２２（図２では図示省略）を収容した副制御基板収容ケース２２０が配設してある。副制御基板２２１には第１副制御部４００を搭載し、副制御基板２２２には第２副制御部５００を搭載している。
【００３４】
図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１４３ｂに対応する位置には低音スピーカ２７７を設けている。
【００３５】
本発明は、遊技台（スロットマシン１００）において、演出装置１６０等を制御する２枚の副制御基板２２１および２２２を収容する副制御基板収容ケース２２０の構成に特徴を有する。
【００３６】
＜＜実施例１＞＞
実施例１では、副制御基板収容ケース２２０が、後述の基板収容体２２０ａおよび２２０ｂからなる場合を示す。
【００３７】
図３は、基板収容体２２０ａに副制御基板２２２を取り付ける様子を示す斜視図であり、図４は、基板収容体２２０ｂに副制御基板２２１を取り付ける様子を示す斜視図である。
【００３８】
図３を参照すると、基板収容体２２０ａは、たとえば透明の樹脂製であり、副制御基板収容ケース２２０に収容した副制御基板２２１や２２２を視認可能に構成している。
【００３９】
副制御基板２２２は、第２副制御部５００を構成するＣＰＵ２３９や、ＶＤＰ（Video Display Processor）２４１や、ＣＧＲＯＭ２４５などの電子部品を実装している。これらの電子部品が実装されている側を実装面２２２ａと呼び、その裏を裏面２２２ｂと呼ぶ。なお、副制御基板２２２は、ＣＰＵ２３９やＶＤＰ２４１のような発熱量の大きな電子部品を実装している。
【００４０】
副制御基板２２２は、その実装面２２２ａ側を基板収容体２２０ａに対向させて配置固定し、たとえばその四隅をネジ２２２ｃで基板収容体２２０ａにネジ止めして取り付けられる。このとき、基板収容体２２０ａと副制御基板２２２との間に冷却ファン２２３を介挿する。副制御基板２２２に実装する部品のうちＶＤＰ２４１は発熱量が特に大きな電子部品であるため、その発熱を効率的に放熱するために放熱用シートであるシリコンシート２４１で覆うとともに、ヒートシンク２２３ａを有する冷却ファン２２３を近傍に設けている。冷却ファン２２３は、たとえばその対角の２点においてネジ２２３ｂで基板収容体２２０ａにネジ止めして取り付けられる。一般に、ＶＤＰは１００℃以上に発熱し、ＣＰＵは８５〜９０℃ぐらいに発熱する。
【００４１】
副制御基板２２２の実装面２２２ａには、たとえばＬＥＤで構成される報知部２４６が実装されている。この報知部２４６は５個のＬＥＤで構成され、その報知内容は図１２を参照して後述する。実装面２２２ａは基板収容体２２０ａに対向して設けられ、基板収容体２２０ａは透明であるため、副制御基板収容ケース２２０に副制御基板２２２に収容した状態で、外部から報知部２４６を視認可能である。
【００４２】
基板収容体２２０ａは冷却ファン２２３に対向した位置に通気孔２２４を有し、放熱効率を向上させている。
【００４３】
基板収容体２２０ａの、図３における左端には、基板収容体２２０ｂのヒンジ軸部２５０（図４参照）が挿入され、このヒンジ軸部２５０を軸支する円筒状のヒンジ受け部２２５を上下２か所に有する。また、上下２か所のヒンジ受け部２２５の間には、ヒンジ軸部２５０をヒンジ受け部２２５で軸支した上で、基板収容体２２０ａと基板収容体２２０ｂとを閉じたときに、ヒンジ軸部２５０がヒンジ受け部２２５から抜けないように基板収容体２２０ａと基板収容体２２０ｂとの相対的な動きを規制する規制凸部２２６を設けている。
【００４４】
基板収容体２２０ａの、図３における右端には、基板収容体２２０ｂのヒンジ軸部２５０をヒンジ受け部２２５で軸支した上で、基板収容体２２０ａと基板収容体２２０ｂとを閉じたときに、基板収容体２２０ｂの凸部２５３（図４参照）に嵌合する嵌合爪部２２７を上下２か所に有する。また、上下２か所の嵌合爪部２２７の間には、閉じた基板収容体２２０ａと基板収容体２２０ｂとをかしめるかしめ部２２８を有する。
【００４５】
図４を参照すると、副制御基板２２１は、第１副制御部４００を構成するモータドライバ２５８や、ＲＯＭ２５６や、Ｓ−ＲＯＭ（サウンドＲＯＭ）２５７などの電子部品を実装している。これらの電子部品が実装されている側を実装面２２１ａと呼び、その裏を裏面２２１ｂと呼ぶ。一般にはモータドライバ８０〜９０℃ぐらいに発熱する。
【００４６】
副制御基板２２１は、その裏面２２１ｂ側を基板収容体２２０ｂに対向させて配置固定し、たとえばその四隅をネジ２２１ｃで基板収容体２２０ｂにネジ止めして取り付けられる。
【００４７】
副制御基板２２１の実装面２２１ａには、たとえばＬＥＤで構成される報知部２５９が実装されている。この報知部２５９は１０個のＬＥＤで構成され、その報知内容は図１２を参照して後述する。実装面２２１ａは、基板収容体２２０ａと基板収容体２２０ｂとを閉じたときに、基板収容体２２０ａに対向して設けられ、基板収容体２２０ａは透明であるため、また、実装面２２１ａのうち副制御基板２２２と重ならない部分に報知部２５９を配置しているため、副制御基板収容ケース２２０に副制御基板２２１に収容した状態で、外部から報知部２５９を視認可能である。
【００４８】
ＲＯＭ２５６やＳ−ＲＯＭ２５７には、第１副制御部４００で制御する遊技の演出に関する各種データが格納されている。たとえば、ＲＯＭ２５６には、第１副制御部４００で実行する制御プログラムや、シャッタ１６３の開閉に関するデータなどが格納され、Ｓ−ＲＯＭ２５７には、スピーカ２７２、２７７を鳴動させる音源データが格納される。
【００４９】
ＲＯＭ２５６やＳ−ＲＯＭ２５７の上面には、格納されているデータの種類（演出の種類、機種の種類）やバージョン等が記載され、この記載により、機種変更やバージョンアップ等によりその副制御基板２２１を交換すべきかどうかなどを認識可能にしている。実装面２２１ａは、基板収容体２２０ａと基板収容体２２０ｂとを閉じたときに、基板収容体２２０ａに対向して設けられ、基板収容体２２０ａは透明であるため、また、実装面２２１ａのうち副制御基板２２２と重ならない部分にＲＯＭ２５６やＳ−ＲＯＭ２５７を配置しているため、副制御基板収容ケース２２０に副制御基板２２１に収容した状態で、外部からＲＯＭ２５６やＳ−ＲＯＭ２５７の上面の記載を視認可能である。
【００５０】
モータドライバ２５８は、発熱する電子部品であるので、基板収容体２２０ａと基板収容体２２０ｂとを閉じたときに、実装面２２１ａのうち副制御基板２２２と重なる部分に実装すると、副制御基板２２１と副制御基板２２２との間で熱がこもる虞があるので、実装面２２１ａのうち副制御基板２２２と重ならない部分にモータドライバ２５８を配置している。
【００５１】
基板収容体２２０ｂの、図４における左端には、円柱状のヒンジ軸部２５０を上下２か所に有する。また、上下２か所のヒンジ軸部２５０の間には、ヒンジ軸部２５０を基板収容体２２０ａのヒンジ受け部２２５で軸支した上で、基板収容体２２０ａと基板収容体２２０ｂとを閉じたときに、ヒンジ軸部２５０がヒンジ受け部２２５から抜けないように基板収容体２２０ａと基板収容体２２０ｂとの相対的な動きを規制する規制受け部２５１を設けている。
【００５２】
基板収容体２２０ｂの、図４における右端には、ヒンジ軸部２５０を基板収容体２２０ａのヒンジ受け部２２５で軸支した上で、基板収容体２２０ａと基板収容体２２０ｂとを閉じたときに、基板収容体２２０ａの嵌合爪部２２７が嵌合する凸部２５３を上下２か所に有する。また、上下２か所の凸部２５３の間には、閉じた基板収容体２２０ａと基板収容体２２０ｂとをかしめるかしめ部２５４を有する。
【００５３】
基板収容体２２０ｂの、図４における右端には、取っ手２５５を設けてあり、基板収容体２２０ａと基板収容体２２０ｂとを閉じた副制御基板収容ケース２２０を作業員が運ぶ際に、この取っ手２５５を利用可能にしている。
【００５４】
図５は、副制御基板２２２が固定された基板収容体２２０ａと、副制御基板２２１が固定された基板収容体２２０ｂとを閉じる様子を示す斜視図であり、（ａ）はヒンジ受け部２２５にヒンジ軸部２５０を挿入する前の状態を示す図であり、（ｂ）はヒンジ受け部２２５にヒンジ軸部２５０を挿入した後の状態を示す図である。
【００５５】
また、図６は、副制御基板２２２が固定された基板収容体２２０ａと、副制御基板２２１が固定された基板収容体２２０ｂとを閉じる様子を示す斜視図であり、（ａ）は図５（ｂ）を裏側から見た図であり、（ｂ）は（ａ）の基板収容体２２０ａと基板収容体２２０ｂとを閉じた状態を示す図であり、（ｃ）は（ｂ）の丸で囲った部分Ａを拡大して示す図である。
【００５６】
図５（ａ）や（ｂ）においては、副制御基板２２２が固定された基板収容体２２０ａを、図３の裏側から見た図を示している。副制御基板２２２においては、すべての電子部品が同一の面側に実装されなければならないわけではなく、裏面２２２側に実装される電子部品があってもよく、裏面２２２側に実装される電子部品よりも数多くの電子部品が実装されている面を実装面２２２ａと呼んでもよいし、発熱量が大きな電子部品が実装されている面を実装面２２２ａと呼んでもよい。副制御基板２２１においても同様である。また、副制御基板２２１においては、その格納内容を記載した電子部品が実装されている面を実装面２２１ａと呼んでもよい。
【００５７】
図５（ａ）や（ｂ）に示すように、ヒンジ受け部２２５にヒンジ軸部２５０を挿入することにより、ヒンジ軸部２５０はヒンジ受け部２２５で軸支される。図５（ｂ）や図６（ａ）は、基板収容体２２０ａと基板収容体２２０ｂとを開いた状態である。この開いた状態では、図６（ａ）に示すように、規制凸部２２６は規制受け部２５１に嵌っておらず、基板収容体２２０ａと基板収容体２２０ｂとを相対的に上下動させることによって、ヒンジ軸部２５０をヒンジ受け部２２５から抜き取ることが可能である。
【００５８】
その後、図６（ａ）の矢印に示すように、ヒンジ軸部２５０およびヒンジ受け部２２５を軸にして基板収容体２２０ａと基板収容体２２０ｂとを相対的に回動させ、基板収容体２２０ａと基板収容体２２０ｂとを閉じた状態が図６（ｂ）である。このときの規制凸部２２６および規制受け部２５１の様子を図６（ｃ）に拡大して示す。基板収容体２２０ａと基板収容体２２０ｂとを閉じると、規制受け部２５１に規制凸部２２６が嵌り、基板収容体２２０ａと基板収容体２２０ｂとを相対的に上下動させることが不可能になり、基板収容体２２０ａと基板収容体２２０ｂとを上下方向において外せなくなる。
【００５９】
図７は、基板収容体２２０ａと基板収容体２２０ｂとを閉じた状態の斜視図であって図６（ｂ）を裏側から見た図であり、（ａ）はかしめ部材を挿入する前の状態を示す図であり、（ｂ）はかしめ部材を挿入してかしめた状態を示す図である。
【００６０】
また、図８は、図７に丸で囲った部分Ｂを拡大して示す図であって、（ａ）は図７（ａ）の部分Ｂを拡大して示す斜視図であり、（ｂ）は（ａ）を上から見た平面図であり、（ｃ）は（ａ）をかしめ部２２８の側から見た側面図であり、（ｄ）は図７（ｂ）の部分Ｂを拡大して示す斜視図であり、（ｅ）は（ｄ）を上から見た平面図であり、（ｆ）は（ｄ）をかしめ部２２８の側から見た側面図である。
【００６１】
図６（ｂ）に示したように基板収容体２２０ａと基板収容体２２０ｂとを閉じると、ヒンジ軸部２５０およびヒンジ受け部２２５の反対側すなわち図７（ａ）における右側において、基板収容体２２０ｂの凸部２５３に、基板収容体２２０ａの嵌合爪部２２７が嵌合し、基板収容体２２０ａと基板収容体２２０ｂとが閉じた状態を保持する。
【００６２】
また、基板収容体２２０ａと基板収容体２２０ｂとを閉じると、基板収容体２２０ａのかしめ部２２８と基板収容体２２０ｂのかしめ部２５４とが隣接する。かしめ部材２６３は、この隣接したかしめ部２２８およびかしめ部２５４に挿入されて、基板収容体２２０ａと基板収容体２２０ｂとをかしめる（図７（ｂ）参照）。
【００６３】
かしめ部材２６３は、図８（ａ）、（ｂ）、（ｃ）に示すように、挿入部２６３ａと２６３ｂとを連結部２６３ｃで連結してなる。挿入部２６３ａおよび２６３ｂは、それぞれ先端にかえし部２６３ｄを有する。このかえし部２６３ｄは弾力性を有し、外力がかからない状態では、図８（ａ）、（ｂ）、（ｃ）に示すような傘が開いた状態であり、外側から押さえられると傘が閉じた状態になる。
【００６４】
かしめ部２２８およびかしめ部２５４は、それぞれ縦に３個ずつ設けてあり、隣接するもの同士にかしめ部材２６３を挿入する。３個のかしめ部２２８およびかしめ部２５４うちどれを用いるかは、上から順に用いるなどと予め定めておく。
【００６５】
かしめ部２２８は、挿入部２６３ａに応じた形状の孔２２８ａを有する。すなわち、孔２２８ａには挿入部２６３ａが挿入可能であり、挿入動作時には、孔２２８ａの内壁がかえし部２６３ｄを外側から押さえて傘を閉じて挿入可能とし、挿入完了時には、かえし部２６３ｄに外力がかからずに傘が開いた状態になることによって、かえし部２６３ｄが当接部２２８ｂに掛かって挿入部２６３ａが引き抜き不可能になる。
【００６６】
同様に、かしめ部２５４は、挿入部２６３ｂに応じた形状の孔２５４ａを有する。すなわち、孔２５４ａには挿入部２６３ｂが挿入可能であり、挿入動作時には、孔２５４ａの内壁がかえし部２６３ｄを外側から押さえて傘を閉じて挿入可能とし、挿入完了時には、かえし部２６３ｄに外力がかからずに傘が開いた状態になることによって、かえし部２６３ｄが当接部２５４ｂに掛かって挿入部２６３ｂが引き抜き不可能になる。
【００６７】
挿入部２６３ａと挿入部２６３ｂとは連結部２６３ｃで連結されているため、隣接したかしめ部２２８およびかしめ部２５４にかしめ部材２６３を挿入して、かしめた状態では、基板収容体２２０ａと基板収容体２２０ｂとを開くことが不可能となり、副制御基板収容ケース２２０に収容した副制御基板２２１および２２２に触れることは不可能となる。このとき、副制御基板２２１と副制御基板２２２とは重ねられて副制御基板収容ケース２２０に収容される。
【００６８】
図９は、かしめ部材２６３によるかしめについて説明する図であり、（ａ）は隣接したかしめ部２２８およびかしめ部２５４にかしめ部材２６３を挿入した状態の平面図であり、（ｂ）はかしめ部２２８およびかしめ部２５４における上から２個目の挿入部にかしめ部材２６３を挿入した状態を示す斜視図である。
【００６９】
上述のように、かしめ部材２６３を、隣接したかしめ部２２８およびかしめ部２５４に挿入すると、かえし部２６３ｄが当接部２２８ｂおよび２５４ｂに掛かって挿入部２６３ａおよび２６３ｂが引き抜き不可能になり、基板収容体２２０ａと基板収容体２２０ｂとをかしめる。後に、副制御基板２２１または２２２を交換するなどのため副制御基板収容ケース２２０を開く必要が生じてかしめを解除するときには、ニッパーなどによって連結部２６３ｃを切断し（図９（ａ）参照）、挿入部２６３ａと挿入部２６３ｂとの連結を解除する必要がある。この連結部２６３ｃを切断した後においても、挿入部２６３ａは孔２２８ａに残存し、挿入部２６３ｂは孔２５４ａに残存する。
【００７０】
図９（ｂ）は、３個のかしめ部２２８およびかしめ部２５４のうち、一番上のものにかしめ部材２６３を挿入し、その後、そのかしめ部材２６３の連結部２６３ｃを切断し、基板収容体２２０ａを別のものに交換し、その基板収容体２２０ａと元々の基板収容体２２０ｂとを、上から二番目のかしめ部２２８およびかしめ部２５４にかしめ部材２６３を挿入してかしめた状態を示す図である。
【００７１】
図９（ｂ）において、交換した基板収容体２２０ａは今までかしめられたことがないので、３個のかしめ部２２８のいずれにも挿入部２６３ａは残存していない。一方、元々の基板収容体２２０ｂは一番上のかしめ部２５４を用いてかしめられていたので、一番上のかしめ部２５４には挿入部２６３ｂが残存している。このような挿入部２６３ａおよび２６３ｂの残存状況によって、副制御基板収容ケース２２０の開封履歴を残すことができる。
【００７２】
図１０は、副制御基板２２２を保持固定した基板収容体２２０ａを交換する様子を説明する斜視図であり、（ａ）は新たな副制御基板２２２を保持固定した基板収容体２２０ａと、基板収容体２２０ｂのダミーであるダミー収容体とからなる交換用収容ケースを示す斜視図であり、（ｂ）は基板収容体２２０ａの交換の様子を示す斜視図である。
【００７３】
たとえば副制御基板２２２を交換する際には、新しい副制御基板２２２を保持固定した基板収容体２２０ａを用意し、この基板収容体２２０ａを、基板収容体２２０ｂのダミーであるダミー収容体２２０ｂｘと組み合わせて交換用収容ケース２２０ｘとし（図１０（ａ）参照）、この交換用収容ケース２２０ｘを交換作業員が持ち運ぶ。ダミー収容体２２０ｂｘは、基板収容体２２０ａの嵌合爪部２２７が嵌合する凸部２５３ｘを有し、また、持ち運び時に利用する取っ手２５５ｘを有する。また、ダミー収容体２２０ｂｘはダミーであることが一目で分かるように、副制御基板収容ケース２２０とは異なる色にし、内部を視認可能なように透明にしている。また、ダミー収容体２２０ｂｘには通気孔は不要であるので設けていない。ダミー収容体２２０ｂｘを組み合わせることにより、持ち運び時に、交換用の基板収容体２２０ａを保護することができる。
【００７４】
交換作業員は、交換対象の副制御基板収容ケース２２０のある場所に、図１０（ａ）の交換用収容ケース２２０ｘを持って行き、交換作業を行う。
【００７５】
まず、交換対象の副制御基板収容ケース２２０をかしめているかしめ部材２６３の連結部２６３ｃを切断し、交換前の基板収容体２２０ａ（旧）を取り外す。これとともに交換用収容ケース２２０ｘにおいて、ダミー収容体２２０ｂｘから新しい副制御基板２２２を保持固定した基板収容体２２０ａ（新）を取り外す。このとき、ダミー収容体２２０ｂｘはかしめ部を有しておらず、基板収容体２２０ａの嵌合爪部２２７をダミー収容体２２０ｂｘの凸部２５３から外すだけで、基板収容体２２０ａ（新）を取り外すことができる。
【００７６】
続いて、上述のように基板収容体２２０ａ（新）を基板収容体２２０ｂに組み合わせ、新たに用意したかしめ部材２６３を、今まで使用していたかしめ部２２８およびかしめ部２５４のすぐ下のかしめ部２２８およびかしめ部２５４に挿入してかしめる。外した交換前の基板収容体２２０ａ（旧）は、ダミー収容体２２０ｂｘに組み合わせて、交換作業員が持ち帰る。ダミー収容体２２０ｂｘを組み合わせることにより、持ち運び時に、基板収容体２２０ａ（旧）を保護することができる。
【００７７】
交換前の副制御基板２２２（新）を収容した交換用収容ケース２２０ｘや交換後の副制御基板２２２（旧）を収容した交換用収容ケース２２０ｘは、交換作業員が持ち運ばずに、宅配便等で送り届けてもよい。
【００７８】
交換作業員は副制御基板２２２や副制御基板２２１に直接触れることなく交換作業を実施することができ、副制御基板２２２や副制御基板２２１を故障させたりする虞がない。
【００７９】
次に、図１１を参照して、スロットマシン１００の制御部の回路構成について詳細に説明する。なお、同図は制御部の回路ブロック図を示したものである。
【００８０】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて主に演出画像表示装置１５７の表示制御を行う第２副制御部５００と、によって構成されている。
【００８１】
＜主制御部＞
まず、スロットマシン１００の主制御部３００について説明する。主制御部３００は、主制御基板収容ケース２１０に収容した主制御基板に搭載する。
【００８２】
主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００や第２副制御部５００についても同様である。
【００８３】
この基本回路３０２のＣＰＵ３０４は、水晶発振器３１４ｂが出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４ｂが出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００８４】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する（後述する主制御部メイン処理を開始する）。
【００８５】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【００８６】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００８７】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００８８】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００８９】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００９０】
主制御部３００は、リール装置１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３９（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００９１】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００９２】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００９３】
＜副制御部＞
次に、スロットマシン１００の第１副制御部４００および第２副制御部５００について説明する。第１副制御部４００は副制御基板２２１に搭載され、第２副制御部５００は副制御基板２２２に搭載され、これらは副制御基板収容ケース２２０に収容される。
【００９４】
スロットマシン１００の第１副制御部４００では、主に各種演出用駆動装置１６０の制御を行う。
【００９５】
第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。
【００９６】
基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６を設けている。このＲＯＭ４０６が上述のＲＯＭ２５６に相当する。
【００９７】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００９８】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）２５７が接続されており、このＲＯＭ２５７から取得した音声データをアンプで増幅させてスピーカ２７２、２７７から出力する。
【００９９】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【０１００】
また、第１副制御部４００には、シャッタ１６３を駆動する駆動回路４３０を設けており、駆動回路４３０には出力インタフェースを介してシャッタ１６３を設けている。この駆動回路４３０は、ＣＰＵ４０４からの命令に応じてシャッタ１６３に設けたステッピングモータ（図示省略）に駆動信号を出力する。この駆動回路４３０が上述のモータドライバ２５８に相当する。
【０１０１】
また、第１副制御部４００には、センサ回路４３２を設けており、センサ回路４３２には入力インタフェースを介してシャッタセンサ４３８を設けている。ＣＰＵ４０４は、割り込み時間ごとにシャッタセンサ４３８の状態を監視している。
【０１０２】
また、ＣＰＵ４０４は、出力インタフェースを介して第２副制御部５００へ信号の送受信を行う。
【０１０３】
次に、スロットマシン１００の第２副制御部５００について説明する。
【０１０４】
スロットマシン１００の第２副制御部５００では、主に演出画像表示装置１５７の制御を行う。
【０１０５】
第２副制御部５００は、第１副制御部４００が送信した制御コマンドを入力インタフェースを介して受信し、この制御コマンドに基づいて第２副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２を搭載している。
【０１０６】
基本回路５０２のＣＰＵ５０４は、水晶発振器５１４が出力する所定周期のクロック信号をシステムクロックとして入力して動作し、第２副制御部５００の全体を制御するための制御プログラム及びデータ、画像表示用のデータ等が記憶されたＲＯＭ５０６を設けている。このＣＰＵ５０４が上述のＣＰＵ２３９に相当する。また、このＲＯＭ５０６が上述のＣＧＲＯＭ２４５に相当する。
【０１０７】
ＣＰＵ５０４は、所定のタイミングでデータバスを介してＲＯＭ５０６の所定エリアに格納された分周用のデータをカウンタタイマ５１２に送信する。カウンタタイマ５１２は、受信した分周用のデータを基に割り込み時間を決定し、この割り込み時間ごとに割り込み要求をＣＰＵ４０４に送信する。ＣＰＵ５０４は、この割込み要求のタイミングをもとに、各ＩＣや各回路を制御する。
【０１０８】
また、第２副制御部５００には、ＶＤＰ５３４（ビデオ・ディスプレイ・プロセッサー）を設けており、このＶＤＰ５３４には、バスを介してＲＯＭ５０６、ＶＲＡＭ５３６が接続されている。ＶＤＰ５３４は、ＣＰＵ５０４からの信号に基づいてＲＯＭ３０６に記憶された画像データ等を読み出し、ＶＲＡＭ５３６のワークエリアを使用して表示画像を生成し、演出画像表示装置１５７に画像を表示する。このＶＲＡＭ５３６が上述のＶＤＰ２４１に相当する。
【０１０９】
次に、図３および図４に示した報知部２４６および２５９の構成例について説明する。
【０１１０】
図１２において、（ａ）は図４に示した報知部２５９の構成例を示す図であり、（ｂ）は図３に示した報知部２４６の構成例を示す図である。
【０１１１】
報知部２５９は副制御基板２２１に係る報知を行い、報知部２４６は副制御基板２２２に係る報知を行う。
【０１１２】
図１２（ａ）を参照すると、報知部２５９は１０個のＬＥＤからなる。
【０１１３】
報知部２５９のＬＥＤ１は、第１副制御部４００のＣＰＵ４０４の動作状況を報知するものである（ソフトウェア上の報知）。ＣＰＵ４０４は、正常時にＬＥＤ１を５００ｍｓごとに点灯／消灯を繰り返させる点滅をさせており、ＣＰＵ４０４の異常時にはこの処理ができないため、点灯または消灯したままになり、ＣＰＵ４０４の異常が報知される。
【０１１４】
報知部２５９のＬＥＤ２は、主制御部３００の乱数取得状況を報知するものである（ソフトウェア上の報知）。後述する主制御部メイン処理のステップＳＡ０７における乱数取得エラーのコマンドを受信した場合にはＬＥＤ２を点灯させ、それ以外であれば消灯させる。
【０１１５】
報知部２５９のＬＥＤ３は、電源装置２５２による第１副制御部４００への２４Ｖ電源の供給状況を報知するものである（ハードウェア上の報知）。２４Ｖ電源供給が正常であればＬＥＤ３を点灯させ、異常であれば消灯させる。
【０１１６】
報知部２５９のＬＥＤ４は、電源装置２５２による第１副制御部４００への１２Ｖ電源の供給状況を報知するものである（ハードウェア上の報知）。１２Ｖ電源供給が正常であればＬＥＤ４を点灯させ、異常であれば消灯させる。
【０１１７】
報知部２５９のＬＥＤ５は、電源装置２５２による第１副制御部４００への５Ｖ電源の供給状況を報知するものである（ハードウェア上の報知）。５Ｖ電源供給が正常であればＬＥＤ５を点灯させ、異常であれば消灯させる。
【０１１８】
報知部２５９のＬＥＤ６は、電源装置２５２による第１副制御部４００への３．３Ｖ電源の供給状況を報知するものである（ハードウェア上の報知）。３．３Ｖ電源供給が正常であればＬＥＤ６を点灯させ、異常であれば消灯させる。
【０１１９】
報知部２５９のＬＥＤ７は、シャッタセンサ４３８のうち左側のもののＯＦＦ／ＯＮ状況を報知するものである（ハードウェア上の報知）。シャッタセンサ４３８のうち左側のものがＯＦＦであればＬＥＤ７を点灯させ、ＯＮであれば消灯させる。
【０１２０】
報知部２５９のＬＥＤ８は、シャッタセンサ４３８のうち右側のもののＯＦＦ／ＯＮ状況を報知するものである（ハードウェア上の報知）。シャッタセンサ４３８のうち右側のものがＯＦＦであればＬＥＤ８を点灯させ、ＯＮであれば消灯させる。
【０１２１】
報知部２５９のＬＥＤ９は、サウンドＲＯＭ２５７のデータリード状況を報知するものである（ハードウェア上の報知）。データリードが正常であればＬＥＤ９を消灯させ、異常であれば点灯させる。
【０１２２】
報知部２５９のＬＥＤ１０は、音源ＩＣ（サウンドＩＣ）４１８の動作状況を報知するものである（ハードウェア上の報知）。動作が正常であればＬＥＤ９を点滅させ、異常であれば点灯または消灯させる。
【０１２３】
図１２（ｂ）を参照すると、報知部２４６は５個のＬＥＤからなる。
【０１２４】
報知部２４６のＬＥＤ１は、電源装置２５２による第２副制御部５００への１２Ｖ電源の供給状況を報知するものである（ハードウェア上の報知）。１２Ｖ電源供給が正常であればＬＥＤ１を点灯させ、異常であれば消灯させる。
【０１２５】
報知部２４６のＬＥＤ２は、電源装置２５２による第２副制御部５００への１．２〜３．３Ｖすべての電源の供給状況を報知するものである（ハードウェア上の報知）。１．２〜３．３Ｖすべての電源供給が正常であればＬＥＤ２を点灯させ、いずれかが異常であれば消灯させる。
【０１２６】
報知部２４６のＬＥＤ３は、第２副制御部５００のＣＰＵ５０４の動作状況を報知するものである（ソフトウェア上の報知）。ＣＰＵ５０４は、正常時にＬＥＤ３を５００ｍｓごとに点灯／消灯を繰り返させる点滅をさせており、ＣＰＵ５０４の異常時にはこの処理ができないため、点灯または消灯したままになり、ＣＰＵ５０４の異常が報知される。
【０１２７】
報知部２４６のＬＥＤ４は、ＶＤＰ５３４の動作状況を報知するものである（ソフトウェア上の報知）。動作が正常であればＬＥＤ４を点滅させ、異常であれば点灯または消灯させる。
【０１２８】
報知部２４６のＬＥＤ５は、第１副制御部４００との通信状況を報知するものである（ソフトウェア上の報知）。動作が正常であればＬＥＤ５を点滅させ、異常であれば点灯または消灯させる。
【０１２９】
＜主制御部メイン処理＞
図１３を用いて、主制御部３００のＣＰＵ３０４が実行する主制御部メイン処理について説明する。なお、同図は主制御部メイン処理の流れを示すフローチャートである。
【０１３０】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図１３に示す主制御部メイン処理を実行する。
【０１３１】
電源投入が行われると、まず、ステップＳＡ０１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１４への動作許可及び初期値の設定等を行う。
【０１３２】
ステップＳＡ０３ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればステップＳＡ０５へ進む。
【０１３３】
ステップＳＡ０５では投入されたメダル枚数を確定し、有効な入賞ラインを確定する。
【０１３４】
ステップＳＡ０７では乱数発生回路３１６で発生させた乱数を取得する。この乱数取得処理で乱数を取得できなかった場合には、乱数取得エラーのコマンドを第１副制御部４００に送信する。
【０１３５】
ステップＳＡ０９では、現在の遊技状態に応じてＲＯＭ３０６に格納されている入賞役抽選テーブルを読み出し、これとステップＳＡ０７で取得した乱数値とを用いて内部抽選を行う。内部抽選の結果、いずれかの入賞役（作動役を含む）に内部当選した場合、その入賞役のフラグがＯＮになる。
【０１３６】
ステップＳＡ１１では内部抽選結果に基づき、リール停止データを選択する。
【０１３７】
ステップＳＡ１３では全リール１１０乃至１１２の回転を開始させる。
【０１３８】
ステップＳＡ１５では、ストップボタン１３７乃至１３９の受け付けが可能になり、いずれかのストップボタンが押されると、押されたストップボタンに対応するリール１１０乃至１１２の何れかをステップＳＡ１１で選択したリール停止制御データに基づいて停止させる。全リール１１０乃至１１２が停止するとステップＳＡ１７へ進む。
【０１３９】
ステップＳＡ１７では、入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならばベル入賞と判定する。
【０１４０】
ステップＳＡ１９では払い出しのある何らかの入賞役に入賞していれば、その入賞役に対応する枚数のメダルを入賞ライン数に応じて払い出す。
【０１４１】
ステップＳＡ２１では遊技状態制御処理を行う。以上により１ゲームが終了する。以降ステップＳＡ０３へ戻って上述した処理を繰り返すことにより遊技が進行することになる。
【０１４２】
<第１副制御部４００の処理>
図１４を用いて、第１副制御部４００の処理について説明する。なお、同図（ａ）は、第１副制御部４００のＣＰＵ４０４が実行するメイン処理のフローチャートである。同図（ｂ）は、第１副制御部４００のコマンド受信割込処理のフローチャートである。同図（ｃ）は、第１副制御部４００のタイマ割込処理のフローチャートである。
【０１４３】
まず、同図（ａ）のステップＳＣ０１では、各種の初期設定を行う。電源投入が行われると、まずＳＣ０１で初期化処理が実行される。この初期化処理では、入出力ポートの初期設定や、ＲＡＭ４０８内の記憶領域の初期化処理等を行う。
【０１４４】
ステップＳＣ０３では、タイマ変数が１０以上か否かを判定し、タイマ変数が１０となるまでこの処理を繰り返し、タイマ変数が１０以上となったときには、ステップＳＣ０５の処理に移行する。
【０１４５】
ステップＳＣ０５では、タイマ変数に０を代入する。
【０１４６】
ステップＳＣ０７では、コマンド処理を行う。第１副制御部４００のＣＰＵ４０４は、主制御部３００からコマンドを受信したか否かを判別する。乱数取得エラーのコマンドを受信した場合には、図１２（ａ）に示したように、副制御基板２２１に実装した報知部２５９のＬＥＤ２を点灯する。
【０１４７】
ステップＳＣ０９では、演出制御処理を行う。例えば、ＳＣ０７で新たなコマンドがあった場合には、このコマンドに対応する演出データをＲＯＭ４０６から読み出す等の処理を行い、演出データの更新が必要な場合には演出データの更新処理を行う。
【０１４８】
ステップＳＣ１０では、ステップＳＣ０９で読み出した演出データの中にシャッタ１６３の制御の命令がある場合には、駆動回路４３０を介してこの命令に対応するシャッタ制御を行う。
【０１４９】
ステップＳＣ１１では、ステップＳＣ０９で読み出した演出データの中に音源ＩＣ４１８への命令がある場合には、この命令を音源ＩＣ４１８に出力する。
【０１５０】
ステップＳＣ１３では、ステップＳＣ０９で読み出した演出データの中に各種ランプ４２０への命令がある場合には、この命令を駆動回路４２２に出力する。
【０１５１】
ステップＳＣ１５では、ステップＳＣ０９で読み出した演出データの中に第２副制御部５００に送信する制御コマンドがある場合には、この制御コマンドを出力する設定を行い、ステップＳＣ０３へ戻る。
【０１５２】
次に、同図（ｂ）を用いて、第１副制御部４００のコマンド受信割込処理について説明する。このコマンド受信割込処理は、第１副制御部４００が、主制御部３００が出力するストローブ信号を検出した場合に実行する処理である。
【０１５３】
コマンド受信割込処理のステップＳＤ０１では、主制御部３００が出力したコマンドを未処理コマンドとしてＲＡＭ４０８に設けたコマンド記憶領域に記憶する。
【０１５４】
次に、同図（ｃ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、タイマ割込処理を所定の周期で実行する。
【０１５５】
第１副制御部４００のタイマ割込処理のステップＳＥ０１では、図１４（ａ）に示す第１副制御部メイン処理におけるステップＳＣ０３において説明したＲＡＭ４０８のタイマ変数記憶領域の値に、１を加算して元のタイマ変数記憶領域に記憶する。従って、ステップＳＣ０３において、タイマ変数の値が１０以上と判定されるのは２０ｍｓ毎（２ｍｓ×１０）となる。
【０１５６】
第１副制御部タイマ割込処理のステップＳＥ０３では、ステップＳＣ１５で設定された第２副制御部５００への制御コマンドの送信や、演出用乱数値の更新処理等を行う。
【０１５７】
<第２副制御部５００の処理>
図１５を用いて、第２副制御部５００の処理について説明する。なお、同図（ａ）は、第２副制御部５００のＣＰＵ５０４が実行するメイン処理のフローチャートである。同図（ｂ）は、第２副制御部５００のコマンド受信割込処理のフローチャートである。同図（ｃ）は、第２副制御部５００のタイマ割込処理のフローチャートである。同図（ｄ）は、第２副制御部５００の画像制御処理のフローチャートである。
【０１５８】
まず、同図（ａ）のステップＳＦ０１では、各種の初期設定を行う。電源投入が行われると、まずＳＦ０１で初期化処理が実行される。この初期化処理では、入出力ポート初期設定や、ＲＡＭ５０８内の記憶領域の初期化処理等を行う。
【０１５９】
ステップＳＦ０３では、タイマ変数が１０以上か否かを判定し、タイマ変数が１０となるまでこの処理を繰り返し、タイマ変数が１０以上となったときには、ステップＳＦ０５の処理に移行する。
【０１６０】
ステップＳＦ０５では、タイマ変数に０を代入する。
【０１６１】
ステップＳＣ０７では、コマンド処理を行う。第２副制御部５００のＣＰＵ５０４は、第１副制御部４００のＣＰＵ４０４からコマンドを受信したか否かを判別する。
【０１６２】
ステップＳＦ０９では、演出制御処理を行う。例えば、ステップＳＦ０７で新たなコマンドがあった場合には、このコマンドに対応する演出データをＲＯＭ５０６から読み出す等の処理を行い、演出データの更新が必要な場合には演出データの更新処理を行う。
【０１６３】
ステップＳＦ１３では、ステップＳＦ０９で読み出した演出データの中に画像制御の命令がある場合には、この命令に対応する画像制御を行い（詳細は後述する）、ステップＳＦ０３へ戻る。
【０１６４】
次に、同図（ｂ）を用いて、第２副制御部５００のコマンド受信割込処理について説明する。このコマンド受信割込処理は、第２副制御部５００が、第１副制御部４００が出力するストローブ信号を検出した場合に実行する処理である。
【０１６５】
コマンド受信割込処理のステップＳＧ０１では、第１副制御部４００が出力したコマンドを未処理コマンドとしてＲＡＭ５０８に設けたコマンド記憶領域に記憶する。
【０１６６】
次に、同図（ｃ）を用いて、第２副制御部５００のＣＰＵ５０４によって実行する第２副制御部タイマ割込処理について説明する。第２副制御部５００は、所定の周期（本実施例では２ｍｓに１回）でタイマ割込を発生するハードウェアタイマを備えており、このタイマ割込を契機として、タイマ割込処理を所定の周期で実行する。
【０１６７】
第２副制御部５００のタイマ割込処理のステップＳＨ０１では、図１５（ａ）に示す第２副制御部メイン処理におけるステップＳＦ０３において説明したＲＡＭ５０８のタイマ変数記憶領域の値に、１を加算して元のタイマ変数記憶領域に記憶する。従って、ステップＳＦ０３において、タイマ変数の値が１０以上と判定されるのは２０ｍｓ毎（２ｍｓ×１０）となる。
【０１６８】
第２副制御部タイマ割込処理のステップＳＨ０２では、動作状況判定処理を行う。この動作状況判定処理では、たとえば、ＶＤＰ５３４の動作状況の判定（具体的には、ＶＳＩＮＣ割込みの状況）、第１副制御部４００との通信状況の判定等を行い、異常時には、副制御基板２２２の報知部２４６のＬＥＤ４やＬＥＤ５において、異常時の報知態様を実施する。
【０１６９】
第２副制御部タイマ割込処理のステップＳＨ０３では、各種更新処理を行う。
【０１７０】
次に、同図（ｄ）を用いて、第２副制御部５００のメイン処理におけるステップＳＦ１３の画像制御処理について説明する。同図は、画像制御処理の流れを示すフローチャートを示した図である。
【０１７１】
ステップＳＩ０１では、画像データの転送指示を行う。ここでは、ＣＰＵ５０４は、まず、ＶＲＡＭ５３６の表示領域Ａと表示領域Ｂの描画領域の指定をスワップする。これにより、描画領域に指定されていない表示領域に記憶された１フレームの画像が演出画像表示装置１５７に表示される。次に、ＣＰＵ５０４は、ＶＤＰ５３４のアトリビュートレジスタに、位置情報等テーブルに基づいてＲＯＭ座標（ＲＯＭ５０６の転送元アドレス）、ＶＲＡＭ座標（ＶＲＡＭ５３６の転送先アドレス）などを設定した後、ＲＯＭ５０６からＶＲＡＭ５３６への画像データの転送開始を指示する命令を設定する。ＶＤＰ５３４は、アトリビュートレジスタに設定された命令に基づいて画像データをＲＯＭ５０６からＶＲＡＭ５３６に転送する。その後、ＶＤＰ５３４は、転送終了割込信号をＣＰＵ５０４に対して出力する。
【０１７２】
ステップＳＩ０３では、ＶＤＰ５３４からの転送終了割込信号が入力されたか否かを判定し、転送終了割込信号が入力された場合はステップＳＩ０５に進み、そうでない場合は転送終了割込信号が入力されるのを待つ。
【０１７３】
ステップＳＩ０５では、演出シナリオ構成テーブルおよびアトリビュートデータなどに基づいて、パラメータ設定を行う。ここでは、ＣＰＵ５０４は、ステップＳＩ０１でＶＲＡＭ５３６に転送した画像データに基づいてＶＲＡＭ５３６の表示領域ＡまたはＢに表示画像を形成するために、表示画像を構成する画像データの情報（ＶＲＡＭ５３６の座標軸、画像サイズ、ＶＲＡＭ座標（配置座標）など）をＶＤＰ５３４に指示する。ＶＤＰ５３４はアトリビュートレジスタに格納された命令に基づいてアトリビュートに従ったパラメータ設定を行う。
【０１７４】
ステップＳＩ０７では、描画指示を行う。この描画指示では、ＣＰＵ５０４は、ＶＤＰ５３４に画像の描画開始を指示する。ＶＤＰ５３４は、ＣＰＵ５０４の指示に従ってフレームバッファにおける画像描画を開始する。
【０１７５】
ステップＳＩ０９では、画像の描画終了に基づくＶＤＰ５３４からの生成終了割込み信号が入力されたか否かを判定し、生成終了割込み信号が入力された場合はステップＳＩ１１に進み、そうでない場合は生成終了割込み信号が入力されるのを待つ。
【０１７６】
ステップＳＩ１１では、ＲＡＭ５０８の所定の領域に設定され、何シーンの画像を生成したかをカウントするシーン表示カウンタをインクリメント（＋１）して処理を終了する。
【０１７７】
なお、実施例１では、副制御基板２２１の報知部を副制御基板２２２に重ならない位置に配置するとしているが、本発明はこれに限られず、重なる位置であって、かつ端っこの覗くと見える位置に配置してもよい（収容ケースを開かなくても見える位置であれば可）。
【０１７８】
また、実施例１では、２枚の副制御基板２２１、２２２を収容する副制御基板収容ケース２２０について開示したが、本発明はこれに限られるものではなく、主制御基板や副制御基板やそのほかの回路基板を複数収容する収容ケースに適用することができる。たとえば、主制御基板と外部端子基板、主制御基板と副制御基板などでも可である。
【０１７９】
複数の回路基板を収容する収容ケースの別の実施例を以下に説明する。
【０１８０】
＜＜実施例２＞＞
図１６は、複数の回路基板を収容する収容ケースの実施例２の図であり、回路基板を取り外した状態を示す斜視図である。
【０１８１】
図１６を参照すると、実施例２の収容ケース１２２０は、回路基板１２２１および１２２２を収容するものであって、収容体１２２０ａ、収容体１２２０ｂおよび収容体１２２０ｃからなる。
【０１８２】
収容体１２２０ｂおよび１２２０ｃは、たとえば透明の樹脂製であり、収容ケース１２２０に収容した回路基板１２２１や１２２２を視認可能に構成している。
【０１８３】
回路基板１２２１は、その四隅をネジ１２２１ｃで収容体１２２０ｂにネジ止めして取り付けられる。また、回路基板１２２２は、その四隅をネジ１２２２ｃで収容体１２２０ｃにネジ止めして取り付けられる。
【０１８４】
収容体１２２０ａの、図１６における左端には、収容体１２２０ｂのヒンジ凸部１２５０ａが挿入され軸支するヒンジ受け部１２２５ａを上下２か所に有する。また、収容体１２２０ａの、図１６における右端には、収容体１２２０ｃのヒンジ凸部１２５０ｂが挿入され軸支するヒンジ受け部１２２５ｂを上下２か所に有する。
【０１８５】
収容体１２２０ｂの、図１６における左端には、収容体１２２０ａのヒンジ受け部１２２５ａに挿入し軸支されるヒンジ凸部１２５０ａを上下２か所に有する。
【０１８６】
収容体１２２０ｂの、図１６における右端上部および下部には、収容体１２２０ｂのヒンジ凸部１２５０ａを収容体１２２０ａのヒンジ受け部１２２５ａで軸支した上で、収容体１２２０ａと収容体１２２０ｂとを閉じたときに、収容体１２２０ａの凸部１２５１ａに嵌合する嵌合爪部１２２６ａを有する。また、収容体１２２０ｂの、図１６における右端中央には、収容体１２２０ａに対して閉じた収容体１２２０ｂと収容体１２２０ａに対して閉じた収容体１２２０ｃとをかしめるかしめ部１２５４を有する。
【０１８７】
収容体１２２０ｃの、図１６における右端には、収容体１２２０ａのヒンジ受け部１２２５ｂに挿入し軸支されるヒンジ凸部１２５０ｂを上下２か所に有する。
【０１８８】
収容体１２２０ｃの、図１６における左端上部および下部には、収容体１２２０ｃのヒンジ凸部１２５０ｂを収容体１２２０ａのヒンジ受け部１２２５ｂで軸支した上で、収容体１２２０ａと収容体１２２０ｃとを閉じたときに、収容体１２２０ａの凸部１２５１ｂに嵌合する嵌合爪部１２２６ｂを有する。また、収容体１２２０ｃの、図１６における左端中央には、収容体１２２０ａに対して閉じた収容体１２２０ｃと収容体１２２０ａに対して閉じた収容体１２２０ｂとをかしめるかしめ部１２２８を有する。
【０１８９】
収容体１２２０ａの、上端および下端の、収容体１２２０ａと収容体１２２０ｂとを閉じたときに、収容体１２２０ｂの嵌合爪部１２２６ａに対向する位置には、嵌合爪部１２２６ａが嵌合する凸部１２５１ａを有する。また、収容体１２２０ａの、上端および下端の、収容体１２２０ａと収容体１２２０ｃとを閉じたときに、収容体１２２０ｃの嵌合爪部１２２６ｂに対向する位置には、嵌合爪部１２２６ｂが嵌合する凸部１２５１ｂを有する。
【０１９０】
かしめ部１２５４およびかしめ部１２２８は、それぞれ縦に３個ずつ設けてあり、隣接するもの同士にかしめ部材１２６３を挿入する。かしめ部１２５４およびかしめ部１２２８とかしめ部材１２６３とによるかしめ構造は、実施例１と同様であるので詳しい説明は省略する。
【０１９１】
図１７は、収容体１２２０ａに対して収容体１２２０ｂおよび収容体１２２０ｃを閉じる様子を示す斜視図であって、（ａ）は収容体１２２０ａのヒンジ受け部１２２５ａに収容体１２２０ｂのヒンジ凸部１２５０ａを挿入し、収容体１２２０ａのヒンジ受け部１２２５ｂに収容体１２２０ｃのヒンジ凸部１２５０ｂを挿入する様子を示す図であり、（ｂ）は軸回転して収容体１２２０ａに対して収容体１２２０ｂおよび収容体１２２０ｃを閉じる様子を示す図である。
【０１９２】
図１８は、収容体１２２０ａに対して収容体１２２０ｂおよび収容体１２２０ｃを閉じてかしめ部材１２６３でかしめる様子を示す斜視図であって、（ａ）はかしめ部材１２６３を挿入する前の様子を示す図であり、（ｂ）はかしめ部材１２６３を挿入した後の様子を示す図である。
【０１９３】
図１６、１７、１８を参照しながら、回路基板１２２１および１２２２を収容ケース１２２０に収容する手順を説明する。
【０１９４】
まず、ネジ１２２１ｃによって回路基板１２２１を収容体１２２０ｂに配置固定し、ネジ１２２２ｃによって回路基板１２２２を収容体１２２０ｃに配置固定する。
【０１９５】
続いて、収容体１２２０ａのヒンジ受け部１２２５ａに収容体１２２０ｂのヒンジ凸部１２５０ａを挿入するとともに、収容体１２２０ａのヒンジ受け部１２２５ｂに収容体１２２０ｃのヒンジ凸部１２５０ｂを挿入する。収容体１２２０ｂは、ヒンジ受け部１２２５ａおよびヒンジ凸部１２５０ａを軸として軸回転自在であり、収容体１２２０ｃは、ヒンジ受け部１２２５ｂおよびヒンジ凸部１２５０ｂを軸として軸回転自在である。また、ヒンジ凸部１２５０ａをヒンジ受け部１２２５ａに挿入することによって収容体１２２０ａと収容体１２２０ｂとの相対的な上下動を規制し、収容体１２２０ａと収容体１２２０ｂとを上下方向において外せなくなる。また、ヒンジ凸部１２５０ｂをヒンジ受け部１２２５ｂに挿入することによって収容体１２２０ａと収容体１２２０ｃとの相対的な上下動を規制し、収容体１２２０ａと収容体１２２０ｃとを上下方向において外せなくなる。
【０１９６】
続いて、収容体１２２０ｂおよび収容体１２２０ｃを、図１７（ｂ）の矢印に示すように収容体１２２０ａに対して軸回転させ、図１８（ａ）に示すように閉じる。このとき、収容体１２２０ａの凸部１２５１ａに収容体１２２０ｂの嵌合爪部１２２６ａが嵌り、収容体１２２０ａの凸部１２５１ｂに収容体１２２０ｃの嵌合爪部１２２６ｂが嵌る。また、この収容体１２２０ａと収容体１２２０ｂとを閉じた状態においては、凸部１２５１ａと嵌合爪部１２２６ａとによって収容体１２２０ａと収容体１２２０ｂとの相対的な上下動を規制し、収容体１２２０ａと収容体１２２０ｂとを上下方向において外せなくなる。また、この収容体１２２０ａと収容体１２２０ｃとを閉じた状態においては、凸部１２５１ｂと嵌合爪部１２２６ｂとによって収容体１２２０ａと収容体１２２０ｃとの相対的な上下動を規制し、収容体１２２０ａと収容体１２２０ｃとを上下方向において外せなくなる。
【０１９７】
また、この収容体１２２０ａと収容体１２２０ｂとを閉じた状態においては、ヒンジ凸部１２５０ａがヒンジ受け部１２２５ａに嵌って抜けない。また、この収容体１２２０ａと収容体１２２０ｃとを閉じた状態においては、ヒンジ凸部１２５０ｂがヒンジ受け部１２２５ｂに嵌って抜けない。
【０１９８】
その後、かしめ部１２５４およびかしめ部１２２８にかしめ部材１２６３を挿入してかしめる（図１８（ｂ）参照）。
【０１９９】
かしめ部材１２６３が、かしめ部１２５４およびかしめ部１２２８に挿入されることによってかしめられ、かしめ部材１２６３を切断しない限り、収容体１２２０ａに対して収容体１２２０ｂおよび収容体１２２０ｃを開けなくなる。かしめた状態では、収容体１２２０ａに対して収容体１２２０ｂおよび１２２０ｃを開くことが不可能となり、収容ケース１２２０に収容した回路基板１２２１および１２２２に触れることは不可能となる。
【０２００】
図１９は、収容ケース１２２０に収容した回路基板１２２２を交換する場合の手順を説明する図であり、（ａ）は図１８（ｂ）の丸で囲った部分Ｃを拡大して示す斜視図であり、（ｂ）は収容体１２２０ｃの交換の様子を示す斜視図である。
【０２０１】
かしめ部材１２６３を、隣接したかしめ部１２２８およびかしめ部１２５４に挿入すると、実施例１と同様にかしめ部材１２６３は引き抜き不可能になる。後に、回路基板１２２１または１２２２を交換するなどのため収容ケース１２２０を開く必要が生じてかしめを解除するときには、ニッパーなどによってかしめ部材１２６３の連結部１２６３ｃを切断する（図１９（ａ）参照）。
【０２０２】
その後、収容体１２２０ａから収容体１２２０ｃ（旧）を取り外し、上述の手順と同様の手順で収容体１２２０ｃ（新）を取り付ける。
【０２０３】
交換作業員は回路基板１２２２や回路基板１２２１に直接触れることなく交換作業を実施することができ、回路基板１２２２や回路基板１２２１を故障させたりする虞がない。
【０２０４】
複数の回路基板を収容する収容ケースのさらに別の実施例を以下に説明する。
【０２０５】
＜＜実施例３＞＞
図２０は、複数の回路基板を収容する収容ケースの実施例３の斜視図であり、（ａ）は収容ケースを開いた状態を示す図であり、（ｂ）はかしめ部分を拡大して示す図であり、（ｃ）は収容ケースを閉じた状態を示す図である。
【０２０６】
実施例３では、収容ケース２２２０は、収容体２２２０ａおよび２２２０ｂからなる。回路基板２２２２は収容体２２２０ａに四隅をネジ止めして配置固定し、回路基板２２２１は収容体２２２０ｂに四隅をネジ止めして配置固定する。
【０２０７】
収容体２２２０ａおよび２２２０ｂは、回路基板２２２１および回路基板２２２２を重ねずに配置した面積よりも大きな面積を有し、収容体２２２０ａの所定個所に回路基板２２２２を配置固定し、また、収容体２２２０ａと収容体２２２０ｂとを閉じたときに回路基板２２２２と重ならない収容体２２２０ｂの所定個所に回路基板２２２１を配置固定する。
【０２０８】
収容体２２２０ｂのヒンジ軸部２２５０を収容体２２２０ａのヒンジ受け部２２２５で軸支した上で、図２０（ａ）の矢印方向に軸回転することによって、収容体２２２０ａと収容体２２２０ｂとを閉じる。
【０２０９】
収容体２２２０ａと収容体２２２０ｂとを閉じると、収容体２２２０ａのかしめ部２２２８と収容体２２２０ｂのかしめ部２２５４とが隣接する。かしめ部材２２６３は、この隣接したかしめ部２２２８およびかしめ部２２５４に挿入されて、収容体２２２０ａと収容体２２２０ｂとをかしめる（図２０（ｂ）、図２０（ｃ）参照）。かしめ部材２２６３によるかしめ構造は、実施例１と同様であるので詳しい説明は省略する。
【０２１０】
収容体２２２０ａは透明部材で構成しているため、かしめて収容ケース２２２０を閉じた状態においても、回路基板２２２１や２２２２の視認すべき個所を視認可能にしている。
【０２１１】
また、回路基板２２２１または２２２２を交換する際には、収容体２２２０ｂまたは収容体２２２０ａごと交換することができ、基板に直接に触れることがない。
【０２１２】
＜＜実施例４＞＞
図２１は、複数の回路基板を収容する収容ケースの実施例４の斜視図であり、（ａ）は収容ケースを開いた状態を示す図であり、（ｂ）は収容ケースを閉じた状態を示す図である。
【０２１３】
実施例４では、収容ケース３２２０は、収容体３２２０ａ、３２２０ｂ、３２２０ｃおよび３２２０ｄからなる。回路基板３２２２は収容体３２２０ｂに四隅をネジ止めして配置固定し、回路基板３２２１は収容体３２２０ｄに四隅をネジ止めして配置固定する。
【０２１４】
収容体３２２０ｂと収容体３２２０ｄとは、収容体３２２０ｂの右端部と収容体３２２０ｄの左端部とをネジ３２２０ｅでネジ止めして固定される。
【０２１５】
収容体３２２０ｂの左端部と収容体３２２０ａとはヒンジ構造により軸回転可能に構成され、収容体３２２０ｄの右端部と収容体３２２０ｃとはヒンジ構造により軸回転可能に構成されており、収容体３２２０ａを軸回転することによって収容体３２２０ｂと収容体３２２０ａとを閉じ、収容体３２２０ｃを軸回転することによって収容体３２２０ｄと収容体３２２０ｃとを閉じ、これによって収容ケース３２２０を閉じる。
【０２１６】
収容ケース３２２０を閉じると、収容体３２２０ａのかしめ部３２２８と収容体３２２０ｃのかしめ部３２５４とが隣接する。かしめ部材３２６３は、この隣接したかしめ部３２２８およびかしめ部３２５４に挿入されて、収容体３２２０ａと収容体３２２０ｃとをかしめる（図２１（ｂ）参照）。かしめ部材３２６３によるかしめ構造は、実施例１と同様であるので詳しい説明は省略する。
【０２１７】
収容体３２２０ａおよび３２２０ｃは透明部材で構成しているため、かしめて収容ケース３２２０を閉じた状態においても、回路基板３２２１や３２２２の視認すべき個所を視認可能にしている。
【０２１８】
また、回路基板３２２１または３２２２を交換する際には、収容体３２２０ｂまたは収容体３２２０ｄごと交換することができ、基板に直接に触れることがない。
【０２１９】
なお、以上説明した本発明は、
１．  遊技に関する制御を行う制御回路を搭載した回路基板と、
前記回路基板を収容する収容ケースと、を備えた遊技台であって、
前記回路基板として複数の回路基板を有し、前記収容ケースが複数の収容体に分離可能であって、
前記複数の回路基板のうちの所定の回路基板が前記複数の収容体のうちの所定の収容体に配置固定され、前記他の回路基板が前記他の収容体に配置固定され、
前記所定の収容体が他の収容体と分離されたとき、該所定の収容体に配置固定された回路基板と、該他の収容体に配置固定された回路基板とが、それぞれ該収容体に配置固定されたままで分離される
ことを特徴とする遊技台、としたので、
基板の部分交換（故障、機種変更）の際に、交換する基板やそのまま残す基板へ直接的に触れることなく収容ケースを構成する収容体を持って交換することができるので、基板への接触による故障を軽減することができる。
【０２２０】
また、本発明は、
２．  前記複数の回路基板のうち所定の回路基板は、電子部品が他面よりも多く実装された実装面側を該収容体に対向させて配置固定し、
他の回路基板は前記実装面の裏面側を該収容体に対向させて配置固定し、
該収容体の各々の開口部どうしを対向させ組み合わせて閉じて前記収容ケースを構成する
ことを特徴とする１．に記載の遊技台、としたので、
電子部品への接触を減らし、さらに故障を軽減することができる。
【０２２１】
また、本発明は、
３．  前記複数の収容体どうしを組み合わせて閉じて前記収容ケースに前記回路基板を収容したとき、所定の回路基板が他の回路基板の少なくとも一部と重なるように配置する
ことを特徴とする１．または２．に記載の遊技台、としたので、
収容ケースを小さくすることができ、遊技台に対するレイアウト性を向上することができる。
【０２２２】
また、本発明は、
４．  前記複数の回路基板のそれぞれは、該回路基板の動作状態を報知する報知部を有し、
前記複数の収容体どうしを組み合わせて閉じた該収容ケースに前記回路基板を収容したとき、前記複数の回路基板のそれぞれの報知部を視認可能な位置に設けた
ことを特徴とする３．に記載の遊技台、としたので、
すべての基板の動作状況を開封せずに行うことができる。
【０２２３】
また、本発明は、
５．  前記複数の回路基板が、主制御部による遊技の抽選の結果に基づいた動作を行う副制御部を搭載した副制御基板であって、
前記報知部は、前記遊技の抽選に関するエラー報知を行う
ことを特徴とする請求項４．に記載の遊技台、としたので、
副制御基板自身のエラーか主制御基板のエラーかの判断が容易にできる。
【０２２４】
また、本発明は、
６．  前記複数の回路基板のうち、実装されている部品による発熱量が他の回路基板よりも多い回路基板を前記収容体に配置固定する際、該回路基板の前記実装面側を前記収容体に対向させて配置固定する
ことを特徴とする４．に記載の遊技台、としたので、
他の回路基板への熱影響を軽減することができる。
【０２２５】
また、本発明は、
７．  前記複数の収容体のそれぞれの一端にヒンジ部を設け、前記複数の収容体の前記ヒンジ部どうしを組み合わせた状態で前記ヒンジ部を中心に回転させて前記複数の収容体どうしを閉じて前記収容ケースを構成し該収容ケースに前記複数の回路基板を収容するものであって、
前記ヒンジ部を中心に回転させて前記複数の収容体どうしを開いた状態では、前記ヒンジ部どうしの組み合わせを解除可能にし、前記ヒンジ部を中心に回転させて前記複数の収容体どうしを閉じた状態では前記ヒンジ部どうしの組み合わせを解除不可能に規制する規制部と、
前記ヒンジ部を中心に回転させて前記複数の収容体どうしを閉じた状態で、前記複数の収容体どうしが開かないようにかしめるかしめ部と、を備えた
ことを特徴とする１．または２．に記載の遊技台、としたので、
基板交換時のカシメ解除と再カシメを容易に行うことができ、交換作業が楽である。
【０２２６】
（付記１）
（付記１−１）
本発明は、
遊技に関する制御を行う制御回路を搭載した回路基板と、
前記回路基板を収容する収容ケースと、の収容方法である、遊技機用の基板収容方法であって、
少なくとも、第１回路基板と第２回路基板の複数の回路基板を有し、少なくとも、いずれか一方の回路基板は、電子部品の実装面側を前記収容ケースに対向させた状態で配置固定されるとともに、それぞれの回路基板は前記収容ケースに配置固定されたまま、分離可能に構成されていることを特徴とする遊技機用の基板収容方法、
である。
［効果］
これにより、本発明は、基板の部分交換（故障、機種変更）の際に、交換する基板やそのまま残す基板へ直接的に触れることなくケース体を持って交換できるので、基板への接触による故障を軽減できる。
（付記１−２）
本発明は、
複数の回路基板のうち、少なくとも、１つの回路基板は、
電子部品が他方よりも多く実装された実装面側を前記収容ケースに対向させて配置固定し、
他方の回路基板は基板裏面側を前記収容ケースに対向させて配置固定し、
各々の収容ケースを開口部を組み合わせて１つの基板収容ケースを構成したことを特徴とする遊技機用の基板収容方法、
である。
［効果］
これにより、本発明は、電子部品への接触を減らし、さらに故障を軽減できる。
（付記１−３）
本発明は、
基板ケースを閉じた際に、一方の基板が他方の基板の少なくとも一部に重なるように配置した。
［効果］
これにより、本発明は、基板ケースを小さくでき、遊技台に対するレイアウト性を向上。
（付記１−４）
本発明は、
上ケース体と下ケース体で構成し、閉じた状態で下ケース体の基板の動作を報知する報知部（ＬＥＤ）の報知態様が視認可能となるように、報知部の配置と上ケース体の基板を配置固定した。
［効果］
これにより、本発明は、下ケース体の基板の動作状況を開封せずに行える。
（付記１−５）
本発明は、
副基板（第１、第２の回路基板）（副制御基板）は、主基板（主制御基板）の抽選結果に基づき制御し、前記報知部は、主基板の抽選に関するエラー報知（例えば、乱数取得エラー）を行う。
［効果］
これにより、本発明は、副基板の自身のエラーか主基板のエラーかの判断が容易にできる。
（付記１−６）
本発明は、
他方の基板よりも発熱量が高い電子部品（例えば、ＶＤＰ、画像用ＣＰＵ）を実装した基板を上ケース体に配置固定した。
［効果］
これにより、本発明は、他方の基板への熱影響を軽減できる。
（付記１−７）
本発明は、
基板ケースの閉状態ではケース体の回転方向に直行する上下方向の動作が規制され、開状態では、上下動して上ケース体と下ケース体が分離可能なヒンジ部を有し、ヒンジ部の対面にカシメ部を備えた。
［効果］
これにより、本発明は、交換時のカシメ解除と再カシメが容易に行え、交換作業が楽である。
【０２２７】
（付記２）
（付記２−１）
複数の基板のうち、すくなくとも１つの基板は、電子部品が他方よりも多く実装された実装面側をケース体に対向させた状態で配置固定。
［効果］
電子部品への接触を減らし、さらに故障を軽減できる。
（付記２−２）
基板ケースを閉じた際に、一方の基板が他方の基板のすくなくとも一部に重なるように配置固定。
［効果］
基板ケースを小さくでき、遊技台に対するレイアウト性を向上。
（付記２−３）
上ケース体と下ケース体で構成し、閉じた状態で下ケース体の基板の動作を報知する報知部（ＬＥＤ）の報知態様が視認可能となるように、報知部の配置と上ケース体の基板を配置固定。
［効果］
下ケース体の基板の動作状況を開封せずに行える。
（付記２−４）
副基板は、主基板の抽選結果に基づき制御し、前記報知部は、主基板の抽選に関するエラー報知（例えば、乱数取得エラー）を行う。
［効果］
副基板の自身のエラーか主基板のエラーかの判断が容易にできる。
（付記２−５）
他方の基板よりも発熱量が高い電子部品（例えば、ＶＤＰ、画像用ＣＰＵ）を実装した基板を上ケース体に配置固定。
［効果］
他方の基板への熱影響を軽減できる。
（付記２−６）
基板ケースの閉状態ではケース体の回転方向に直行する上下方向の動作が規制され、開状態では、上下動して上ケース体と下ケース体が分離可能なヒンジ部を有し、ヒンジ部の対面にカシメ部を備えた。
［効果］
交換時のカシメ解除と再カシメが容易に行え、交換作業が楽。
（付記２−７）
カシメ部を複数有し、開封に伴いケース体（収容体）の各々にカシメピン（かしめ部材）の一部が残る構成とした。
［効果］
交換履歴（痕跡）を開封動作で容易に残すことができ、交換したケース体を敏速に把握できる。
（付記３）
本発明は、
（３−１）
遊技に関する制御を行う制御回路を搭載した回路基板と、
前記回路基板に実装された電子部品を冷却するための冷却装置（例えば、冷却ファン２２３）と、
前記回路基板を収容する収容ケースと、
前記収容ケースが取り付けられる筐体と、
を備えた遊技台であって、
前記回路基板として複数の回路基板を有し、前記収容ケースが複数の収容体に分離可能に構成され、
前記複数の回路基板のうちの所定の回路基板（例えば、副制御基板２２２）が前記複数の収容体のうちの所定の収容体に配置固定され、
他の回路基板（例えば、副制御基板２２１）が他の収容体に配置固定され、
前記所定の収容体が前記他の収容体と分離されたとき、前記所定の収容体に配置固定された回路基板と、前記他の収容体に配置固定された回路基板とが、それぞれの収容体に配置固定されたままで分離される一方、
前記所定の回路基板は、電子部品が他面よりも多く実装された実装面側を前記所定の収容体に対向させて配置固定され、
前記他の回路基板は、電子部品が他面よりも多く実装された実装面の裏面側を前記他の収容体に対向させて配置固定され、
前記複数の収容体の各々の開口部どうしを対向させ組み合わせて閉じて前記収容ケースを構成し、
前記複数の収容体の各々を組み合わせて閉じた前記収容ケースに前記複数の回路基板を収容したとき、前記所定の回路基板が前記他の回路基板の少なくとも一部と重なるように配置し、
前記複数の収容体の各々を組み合わせて閉じた状態でかしめるかしめ部を備え、
前記複数の回路基板の各々は、前記回路基板の動作状態を報知する報知部を有し、
前記複数の収容体の各々を組み合わせて閉じた前記収容ケースに前記複数の回路基板を収容したとき、前記複数の回路基板の各々の前記報知部を視認可能な位置に設け、
前記他の回路基板に、発熱する電子部品を、前記所定の回路基板と重ならない端部側に配置し、
前記収容ケースにおける前記端部側の側壁部には通気孔が設けられるとともに、
前記通気孔が上方に向くように、前記収容ケースを前記筐体に取り付け、
前記冷却装置は、前記所定の回路基板の前記実装面（例えば、実装面２２２ａ）に対向して配置され、
前記収容ケースは、前記冷却装置による前記回路基板と前記収容ケースとの間の層状空間の空気を流動させるための冷却向上部を備えて形成されるとともに、少なくとも前記冷却装置から前記発熱する電子部品（例えば、モータドライバ２５８）までの前記層状空間には通気孔を設けずに形成され（例えば、冷却ファン２２３からモータドライバ２５８までの間には収容ケースに通気孔が存在しない）、
前記冷却向上部は、前記層状空間の空気の流動方向の上流側よりも下流側が前記回路基板側へ近づくように形成された部分を、前記端部側の前記層状空間が狭くなるように備え（例えば、図３において参照番号２２０ａの引出線が指す先の面が、基板収容体２２０ａの他の面と異なり傾斜している。この傾斜により端部側の層状空間が狭くなっている）、
前記収容ケースは、前記流動方向に沿った前記発熱する電子部品の下流側に前記通気孔（例えば、図３において参照番号２２０ａの引出線が指す先の面の上部に連接する面に設けた孔）を設けて形成されている、
ことを特徴とする遊技台、とした。
【産業上の利用可能性】
【０２２８】
本発明に係る遊技台は、スロットマシンなどに代表される遊技台に適用することができる。
【符号の説明】
【０２２９】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  遊技開始ランプ
１２３  告知ランプ
１２４  メダル投入ランプ
１２５  貯留枚数表示器
１２６  遊技情報表示器
１２７  払出枚数表示器
１２８  リールパネルランプ
１３０  ベットボタン
１３２  ＭＡＸベットボタン
１３３  メダル返却ボタン
１３４  精算ボタン
１３５  スタートレバー
１３７〜１３９  ストップボタン
１４０  ドアキー孔
１４１  メダル投入口
１５５  メダル払出口
１６１  メダル受皿
１６０  演出装置
【図１】
0005555856.tif 000002
【図２】
0005555856.tif 000003
【図３】
0005555856.tif 000004
【図４】
0005555856.tif 000005
【図５】
0005555856.tif 000006
【図６】
0005555856.tif 000007
【図７】
0005555856.tif 000008
【図８】
0005555856.tif 000009
【図９】
0005555856.tif 000010
【図１０】
0005555856.tif 000011
【図１１】
0005555856.tif 000012
【図１２】
0005555856.tif 000013
【図１３】
0005555856.tif 000014
【図１４】
0005555856.tif 000015
【図１５】
0005555856.tif 000016
【図１６】
0005555856.tif 000017
【図１７】
0005555856.tif 000018
【図１８】
0005555856.tif 000019
【図１９】
0005555856.tif 000020
【図２０】
0005555856.tif 000021
【図２１】
0005555856.tif 000022